(57)【要約】【課題】数字キーを用いずに、且つ簡単な操作で、所望の箇所から再生することができる情報再生装置を提供することである。【解決手段】所望の箇所から再生可能なサーチ機能を備えた情報再生装置において、サーチ先の箇所を示すサーチ指標であるバー３２や経過時間３３と、１回の操作によって移動するサーチ先の箇所の移動量がそれぞれ異なる複数のサーチモードとを備えた構成とする。【選択図】図３
2009104736.tif 000002
【特許請求の範囲】
【請求項１】
所望の箇所から再生可能なサーチ機能を備えた情報再生装置において、
サーチ先の箇所を示すサーチ指標と、１回の操作によって移動するサーチ先の箇所の移動量がそれぞれ異なる複数のサーチモードとを備えたことを特徴とする情報再生装置。
【請求項２】
前記サーチ指標がバーであり、サーチ先の箇所はバーの先端位置で表されることを特徴とする請求項１記載の情報再生装置。
【請求項３】
前記バーとともに、現在のタイトルの開始箇所と終了箇所とを示すことを特徴とする請求項２記載の情報再生装置。
【請求項４】
前記サーチ指標が現在のタイトルの開始位置からの経過時間であることを特徴とする請求項１記載の情報再生装置。
【請求項５】
前記経過時間とともに、現在のタイトルの総時間を示すことを特徴とする請求項４記載の情報再生装置。
【請求項６】
前記複数のサーチモードは、１回の操作によって移動するサーチ先の箇所の移動量が大きい順に、第１モード、第２モード、第３モードからなることを特徴とする請求項１〜５の何れかに記載の情報再生装置。
【請求項７】
前記第１モードにおける１回の操作によって移動するサーチ先の箇所の移動量は、現在のタイトルの総時間の１０分の１であり、
前記第２モードにおける１回の操作によって移動するサーチ先の箇所の移動量は、現在のタイトルの総時間の２０分の１であり、
前記第３モードにおける１回の操作によって移動するサーチ先の箇所の移動量は、１秒であることを特徴とする請求項６記載の情報再生装置。
【請求項８】
サーチ機能実行時には、現在のサーチモードの種類を出力することを特徴とする請求項１〜７の何れかに記載の情報再生装置。
【請求項９】
前記サーチ機能は、タイトルの再生中、リジューム停止中又は一時停止中にのみ有効となることを特徴とする請求項１〜８の何れかに記載の情報再生装置。
【請求項１０】
複数の操作キーを有するリモコンが操作され、
サーチ機能の実行を指示するサーチキーが押下されると、前記サーチ指標を出力し、
カーソルキーの右キーが押下される度に、前記サーチ指標においてサーチ先の箇所を後方へ移動させ、
カーソルキーの左キーが押下される度に、前記サーチ指標においてサーチ先の箇所を前方へ移動させ、
前記サーチキーが押下される度に、前記複数のサーチモードを順に切り換え、
決定キーが押下されると、設定されたサーチ先の箇所から再生を開始することを特徴とする請求項１〜９の何れかに記載の情報再生装置。
【請求項１１】
複数の操作キーを有するリモコンが操作され、
サーチ機能の実行を指示するサーチキーが押下されると、前記サーチ指標を出力し、
カーソルキーの右キーが押下される度に、前記サーチ指標においてサーチ先の箇所を後方へ移動させ、
カーソルキーの左キーが押下される度に、前記サーチ指標においてサーチ先の箇所を前方へ移動させ、
カーソルキーの上キー又は下キーが押下される度に、前記複数のサーチモードを順に切り換え、
決定キーが押下されると、設定されたサーチ先の箇所から再生を開始することを特徴とする請求項１〜９の何れかに記載の情報再生装置。
【請求項１２】
前記情報再生装置が、光ディスク装置又はハードディスク装置であることを特徴とする請求項１〜１１の何れかに記載の情報再生装置。
【発明の詳細な説明】
【技術分野】
【０００１】
本発明は、所望の箇所から再生可能なサーチ機能を備えた情報再生装置に関する。
【背景技術】
【０００２】
ＤＶＤなどの光ディスクを再生する光ディスク装置やハードディスクレコーダなど、記録媒体に記録された映像や音声の情報を再生する情報再生装置が普及している。そして、ＤＶＤから所望の情報をいち早く探し出して再生する場合は、タイトルサーチ、チャプターサーチ、タイムサーチなどの機能が用いられる。
【０００３】
例えば、ＤＶＤを再生する場合において、タイトルサーチ、チャプターサーチ又はタイムサーチを行うには、リモコンのメニューキーを押下してメニュー画面を表示させ、メニュー項目の中から所望のサーチ項目を矢印キーを用いて選択し、決定キーを押下することで所望のサーチモードに移行する。そして例えば、タイムサーチを選択した場合は、数字キーを用いて所望の時間を入力することで、その時間から再生させることができる。
【０００４】
他にもサーチ機能に関する様々な技術が提案されており、以下にそれらのいくつかを例示する。
【０００５】
特許文献１には、映像信号の再生速度を入力する入力装置において、手指が触れた位置の直線状の移動速度を検出する移動速度検出部と、移動速度検出部で検出された移動速度に応じた再生速度情報を出力する制御部とを有することが開示されている。
【０００６】
また特許文献２の映像再生装置では、ナビキーを押下すると、サーチモードになり、映像収録時間の半分の位置から映像が再生される。次に、例えば右矢印キーを押下すると、収録終了側へジャンプし、収録時間の半分の位置と収録終了位置との中間位置から映像が再生される。これに続いて、例えば左矢印キーを押下すると、収録開始側へ前回の半分だけジャンプし、その位置から映像が再生される。更にこれに続いて、例えば右矢印キーを押下すると、収録終了側へさらに前回の半分だけジャンプし、その位置から映像が再生される。
【０００７】
また特許文献３には、早送り再生キーとスキップ前方サーチキーとを１個の前進方向キーで兼用するとともに、早戻し再生キーとスキップ後方サーチキーとを１個の後進方向キーで兼用した情報再生装置において、通常再生モード時、制御部は、前進方向キーまたは後進方向キーのキー機能の切り換えを当該方向キーの押す時間長さで判別して切り換えるとともに、早送り再生または早戻し再生といった倍速トグルモードでの再生速度の切換モードを同じ方向キーの押す時間長さで判別して切り換えるように制御することが開示されている。すなわち、１個の前進方向キーまたは後進方向キーが、倍速トグルモードに移行させる機能とスキップサーチモードに移行させる機能と倍速トグルモードでの再生速度の切換モードの選択機能との３つの機能を持っている。
【０００８】
また特許文献４には、ディスクに記録されている情報のうち再生もしくは編集したい箇所をサーチするためのサーチボタンと、このサーチボタンによるサーチのモードを制御するサーチモード制御部とを備え、サーチモード制御部が、マニュアルトラックマーキングにより記録された１トラックのトータル記録時間に応じて、当該トラック内のサーチのモードを設定するようにしたディスク装置が開示されている。
【０００９】
例えば、１トラックのトータル記録時間が５分未満の場合は、サーチモードを小刻み（数秒単位など）のステップでサーチする小ジャンプモードに設定する。この場合は、記録時間が短いため、数秒単位のサーチでも問題はない。また、１トラックのトータル記録時間がたとえば５分以上で３０分以下の場合は、サーチモードを中刻み（数十秒単位など）のステップでサーチする中ジャンプモードと、上記小ジャンプモードに設定する。この場合には、中ジャンプモードによってサーチ速度を上げることができる。また、１トラックのトータル記録時間がたとえば３０分を超える場合は、サーチモードを入力された時間分だけジャンプする時間ジャンプモードと、上記中ジャンプモードおよび小ジャンプモードに設定する。この場合には、時間ジャンプモードによって指定時間の箇所まで一挙にジャンプするので、サーチ速度をさらに上げることができる。
【００１０】
また特許文献５には、例えば、タイトルの個数が３７個しかないＤＶＤに対してタイトルサーチを行う場合、１回目の数字入力時に「０」または「１」または「２」または「３」が入力された場合は、１０の位の数字として登録され、それ以上の数字が入力された場合は、１の位の数字として登録される光ディスク装置が開示されている。これによれば、タイトル、チャプター、トラックの個数の最大値を超えるような数字入力を制限することができ、数字キー入力の使い勝手が向上する。
【特許文献１】特開２００６−３０２３４８号公報
【特許文献２】実用新案登録第３０８９０４０号公報
【特許文献３】特開２００５−１５８１７８号公報
【特許文献４】実用新案登録第３０７３４８５号公報
【特許文献５】特開２００７−８０３５０号公報
【発明の開示】
【発明が解決しようとする課題】
【００１１】
しかしながら、従来、タイムサーチ機能を用いて所望の時間から再生させるのには、不便な点も多かった。例えば、上述したように数字キーで所望の時間を入力する場合、ユーザは数字キーの位置を確認しながら、複数の数字キーを押下する必要があるため、操作が煩雑であった。また、数字キーのない簡易なリモコンでは、この機能を採用できなかった。
【００１２】
また、特許文献１〜４のように数字キーを用いない場合、サーチ先の時間を所望の時間に合わせるのに慣れが必要であったり、複雑な操作が必要であったりするので、あまり使い勝手がよいとは言えない。
【００１３】
本発明は、数字キーを用いずに、且つ簡単な操作で、所望の箇所から再生することができる情報再生装置を提供することを目的とする。
【課題を解決するための手段】
【００１４】
上記目的を達成するために本発明は、所望の箇所から再生可能なサーチ機能を備えた情報再生装置において、サーチ先の箇所を示すサーチ指標と、１回の操作によって移動するサーチ先の箇所の移動量がそれぞれ異なる複数のサーチモードとを備えたことを特徴とする。
【００１５】
この構成によると、サーチ先を指定する際に数字キーで時間を指定する必要がない。
【００１６】
上記の情報再生装置において、前記サーチ指標がバーであり、サーチ先の箇所はバーの先端位置で表されることが望ましい。バーを用いれば、ユーザはサーチ先がタイトル中のどの辺りであるかを直感的に理解できるという利点がある。
【００１７】
また上記の情報再生装置において、より見やすくするため、前記バーとともに、現在のタイトルの開始箇所と終了箇所とを示すことが望ましい。
【００１８】
また上記の情報再生装置において、前記サーチ指標が現在のタイトルの開始位置からの経過時間であることが望ましい。経過時間を用いれば、サーチ先の正確な時間を把握することができるという利点がある。そして、バーと経過時間とを併用すれば、ユーザは多くの情報を得ることができ、使い勝手が向上する。
【００１９】
また上記の情報再生装置において、より見やすくするため、前記経過時間とともに、現在のタイトルの総時間を示すことが望ましい。
【００２０】
また上記の情報再生装置において、例えば、前記複数のサーチモードは、１回の操作によって移動するサーチ先の箇所の移動量が大きい順に、第１モード、第２モード、第３モードを採用することができる。
【００２１】
また上記の情報再生装置において、例えば、前記第１モードにおける１回の操作によって移動するサーチ先の箇所の移動量は、現在のタイトルの総時間の１０分の１であり、前記第２モードにおける１回の操作によって移動するサーチ先の箇所の移動量は、現在のタイトルの総時間の２０分の１であり、前記第３モードにおける１回の操作によって移動するサーチ先の箇所の移動量は、１秒であれば、操作性がよい。
【００２２】
また上記の情報再生装置において、サーチ機能実行時には、現在のサーチモードの種類を出力すれば、ユーザは一目でサーチモードの種類を確認することができる。
【００２３】
また上記の情報再生装置において、前記サーチ機能は、タイトルの再生中、リジューム停止中又は一時停止中にのみ有効とすることができる。
【００２４】
また上記の情報再生装置において、具体的には、複数の操作キーを有するリモコンが操作され、サーチ機能の実行を指示するサーチキーが押下されると、前記サーチ指標を出力し、カーソルキーの右キーが押下される度に、前記サーチ指標においてサーチ先の箇所を後方へ移動させ、カーソルキーの左キーが押下される度に、前記サーチ指標においてサーチ先の箇所を前方へ移動させ、前記サーチキーが押下される度に、前記複数のサーチモードを順に切り換え、決定キーが押下されると、設定されたサーチ先の箇所から再生を開始するようにすればよい。
【００２５】
また上記の情報再生装置において、他にも、複数の操作キーを有するリモコンが操作され、サーチ機能の実行を指示するサーチキーが押下されると、前記サーチ指標を出力し、カーソルキーの右キーが押下される度に、前記サーチ指標においてサーチ先の箇所を後方へ移動させ、カーソルキーの左キーが押下される度に、前記サーチ指標においてサーチ先の箇所を前方へ移動させ、カーソルキーの上キー又は下キーが押下される度に、前記複数のサーチモードを順に切り換え、決定キーが押下されると、設定されたサーチ先の箇所から再生を開始するようにしてもよい。
【００２６】
上記の情報再生装置としては、例えば、光ディスク装置又はハードディスク装置を採用することができる。
【発明の効果】
【００２７】
本発明によれば、数字キーを用いずに、且つ簡単な操作で、所望の箇所から再生するサーチ機能を実現することができる。したがって、数字キーのない簡易なリモコンでも簡単な操作でサーチ機能を実現できる。
【発明を実施するための最良の形態】
【００２８】
以下、情報再生装置の一例として、ハードディスクドライブ（ＨＤＤ）一体型光ディスク装置を用いて説明する。図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の映像音声記録装置に代表される外部装置１２とが接続されている。またＨＤＤ一体型光ディスク装置１０は、リモコン１３によって操作可能である。以下では、光ディスクとしてＤＶＤを例に説明する。
【００２９】
ＨＤＤ一体型光ディスク装置１０は、アンテナ１５で受信したテレビ放送信号を復調、デジタル化するチューナ１６と、チューナ１６や外部装置１２から受け取った画像音声データをＭＰＥＧ２等に準拠して圧縮符号化したり、ＨＤＤ記録再生部１８又はＤＶＤ記録再生部１９で再生された圧縮された画像音声データを伸長復号したりする画像音声圧縮伸長部１７と、画像音声圧縮伸長部１７から受け取った圧縮された画像音声データをＨＤＤに記録したり、ＨＤＤに記録されたデータを再生したりするＨＤＤ記録再生部１８と、画像音声圧縮伸長部１７から受け取った圧縮された画像音声データを挿入されたＤＶＤに記録したり、ＤＶＤに記録されたデータを再生したりするＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置１１へ出力する音声出力部２２と、ＲＯＭやＲＡＭからなるメモリ２３と、リモコン１３からの信号を受信するリモコン受信部２４と、外部装置１２が接続される外部Ｉ／Ｆ２５と、ＨＤＤ一体型光ディスク装置１０の各部を制御する制御部２６とを備えている。
【００３０】
リモコン１３は、サーチキー２７、カーソルキー２８、決定キー２９などを備えている。そしてカーソルキー２８は、上キー２８a、下キー２８ｂ、右キー２８ｃ、左キー２８ｄからなる。
【００３１】
また、ＨＤＤ一体型光ディスク装置１０は、現在選択中のタイトルにおいて所望の箇所から再生可能なサーチ機能を備えている。このサーチ機能を実現するために、メモリ２３には、サーチ先の箇所を示すサーチ指標と、１回の操作によって移動するサーチ先の箇所の移動量がそれぞれ異なる複数のサーチモードとが記憶されており、サーチ機能の実行時に適宜読み出されて使用される。
【００３２】
サーチ指標としては、表示装置１１に表示できる指標であれば特に限定はなく、例えば、バーや現在のタイトルの開始位置からの経過時間を採用することができる。バーを用いれば、ユーザはサーチ先がタイトル中のどの辺りであるかを直感的に理解できるという利点がある。一方、経過時間を用いれば、サーチ先の正確な時間を把握することができるという利点がある。そして、バーと経過時間とを併用すれば、ユーザは多くの情報を得ることができ、使い勝手が向上する。
【００３３】
サーチモードとしては、例えば、１回の操作によって移動するサーチ先の箇所の移動量が大きい順に、第１モード、第２モード、第３モードを採用することができる。そして、第１モードにおける１回の操作によって移動するサーチ先の箇所の移動量は、例えば現在のタイトルの総時間の１０分の１とし、第２モードにおける１回の操作によって移動するサーチ先の箇所の移動量は、例えば現在のタイトルの総時間の２０分の１とし、第３モードにおける１回の操作によって移動するサーチ先の箇所の移動量は、例えば１秒とすることが望ましい。
【００３４】
またサーチ機能に関する制御として、制御部２６は、リモコン１３からサーチ機能の実行が指示されると、メモリ２３からサーチ指標を読み出し、ＯＳＤ部２０及び画像出力部２１を介して表示装置１１へ表示させる。次に制御部２６は、リモコン１３からサーチ先の移動が指示されると、表示されているサーチ指標においてサーチ先の箇所を後方や前方へ移動させる。また制御部２６は、リモコン１３からサーチモードの切り換えが指示される度に、複数のサーチモードを順に切り換え、サーチ先の箇所の移動量を制御する。そして、リモコン１３からサーチ先の決定が指示されると、ユーザによって設定されたサーチ先の箇所から再生を開始させる。以下、サーチ機能について具体例を挙げて詳しく説明する。
【００３５】
図２は、サーチ機能に関するＨＤＤ一体型光ディスク装置１０の動作を示すフローチャートである。まず、ステップＳ１０において、リモコン１３が操作されて、ＤＶＤ又はＨＤＤに記録されている何れかのタイトルの再生が指示されると、リモコン受信部２４が指示信号を受信し、制御部２６がそのタイトルの再生制御を開始する。
【００３６】
次に、ステップＳ１１へ進んで制御部２６は、リモコン１３からのサーチ機能の実行指示を待つ。サーチ機能の実行指示は、リモコン１３のサーチキー２７が押下されることによりなされる。ステップＳ１１において、サーチ機能の実行指示があれば、ステップＳ１２へ進んで制御部２６は、メモリ２３からサーチ指標を読み出し、ＯＳＤ部２０及び画像出力部２１を介して表示装置１１へＯＳＤ表示させる。
【００３７】
図３に、サーチ機能実行時の画面の一例を示す。画面３０には、再生中の映像３１に重ねてサーチ指標の１つであるバー３２と、同じくサーチ指標の１つである経過時間３３と、サーチモードの種類３４などが表示されている。なお、サーチ指標はバー３２だけであってもよいし、経過時間３３だけであってもよい。また、サーチモードの種類３４及び再生中の映像３１は必ずしも表示する必要はない。
【００３８】
バー３２の左端に表示されている縦線が現在のタイトルの開始箇所３５を表しており、バー３２の右端から延びる延長線の終端に表示されている縦線が現在のタイトルの終了箇所３６を表している。バー３２は、画面３０に向かって左から右へ延び、その先端位置（右端）３７がサーチ先の箇所を示している。なお、画面３０が表示された時点では、先端位置３７はサーチキー２７が押下された時点の再生位置で停止している。
【００３９】
経過時間３３は、画面３０が表示された時点では、現在のタイトルの開始位置からサーチキー２７が押下された時点の再生位置までの経過時間を示して停止しており、バー３２に対応している。また、経過時間３３は現在のタイトルの総時間３８とともに表示されているので、ユーザは一目で総時間と比較することができる。
【００４０】
サーチモードの種類３４は、現在のサーチモードの名称を示しており、ユーザは一目でサーチモードの種類を確認することができる。サーチ機能の実行時にデフォルトで実行されるモードはどのモードとしてもよいが、１回の操作によって移動するサーチ先の箇所の移動量が最も大きい第１モードをデフォルトにすれば、所望のサーチ先に早く近づけることができるのでその後の操作がスムーズになり、使い勝手がよい。
【００４１】
再び図２に戻って説明を続ける。ステップＳ１２からステップＳ１３へ進んで、制御部２６は右キー２８ｃが押下されたか否かを判別する。ステップＳ１３において右キー２８ｃが押下されたと判別した場合は、ステップＳ１４へ進んでサーチモードの種類３４に応じた移動量だけサーチ先の箇所を後方へ移動させる。
【００４２】
例えば、上記の例のように、第１モードにおける１回の操作によって移動するサーチ先の箇所の移動量が現在のタイトルの総時間の１０分の１であり、第２モードにおける１回の操作によって移動するサーチ先の箇所の移動量が現在のタイトルの総時間の２０分の１であり、第３モードにおける１回の操作によって移動するサーチ先の箇所の移動量が１秒である場合であって、図３に示すように、現在のタイトルの総時間３８が２時間である場合は、第１モードにおける１回の右キー２８ｃの押下によって移動するサーチ先の箇所の移動量は１２分後方であり、第２モードにおける１回の右キー２８ｃの押下によって移動するサーチ先の箇所の移動量は６分後方である。
【００４３】
次に、ステップＳ１３で右キー２８ｃが押下されなかった場合又はステップＳ１４からステップＳ１５へ進んで、制御部２６は左キー２８ｄが押下されたか否かを判別する。ステップＳ１５において左キー２８ｄが押下されたと判別した場合は、ステップＳ１６へ進んでサーチモードの種類３４に応じた移動量だけサーチ先の箇所を前方へ移動させる。
【００４４】
例えば、上記の例のように、第１モードにおける１回の操作によって移動するサーチ先の箇所の移動量が現在のタイトルの総時間の１０分の１であり、第２モードにおける１回の操作によって移動するサーチ先の箇所の移動量が現在のタイトルの総時間の２０分の１であり、第３モードにおける１回の操作によって移動するサーチ先の箇所の移動量が１秒である場合であって、図３に示すように、現在のタイトルの総時間３８が２時間である場合は、第１モードにおける１回の左キー２８ｄの押下によって移動するサーチ先の箇所の移動量は１２分前方であり、第２モードにおける１回の左キー２８ｄの押下によって移動するサーチ先の箇所の移動量は６分前方である。
【００４５】
次に、ステップＳ１５で左キー２８ｄが押下されなかった場合又はステップＳ１６からステップＳ１７へ進んで、制御部２６は上キー２８ａが押下されたか否かを判別する。ステップＳ１７において上キー２８ａが押下されたと判別した場合は、ステップＳ１８へ進んでサーチモードを順送りで切り換える。例えば第１から第３モードを有する場合、第１モードであれば第２モードへ、第２モードであれば第３モードへ、第３モードであれば第１モードへ切り換える。
【００４６】
次に、ステップＳ１７で上キー２８ａが押下されなかった場合又はステップＳ１８からステップＳ１９へ進んで、制御部２６は下キー２８ｂが押下されたか否かを判別する。ステップＳ１９において下キー２８ｂが押下されたと判別した場合は、ステップＳ２０へ進んでサーチモードを逆送りで切り換える。例えば第１から第３モードを有する場合、第１モードであれば第３モードへ、第２モードであれば第１モードへ、第３モードであれば第２モードへ切り換える。
【００４７】
次に、ステップＳ１９で下キー２８ｂが押下されなかった場合又はステップＳ２０からステップＳ２１へ進んで、制御部２６は決定キー２９が押下されたか否かを判別する。ステップＳ２１において決定キー２９が押下されたと判別した場合は、サーチ先が決定されたと判断し、ステップ２２へ進んで制御部２６は現在設定されているサーチ先、つまりバー３２や経過時間３３で表示されている箇所、の時間からそのアドレスを算出する。一方、ステップＳ２１で決定キー２１が押下されなかった場合は、ステップＳ１３に戻る。
【００４８】
そして、ステップＳ２２からはステップ２３へ進んで表示装置１１上からサーチ指標などのサーチ機能に関するＯＳＤ表示を消去し、ステップＳ２４へ進んでステップＳ２２で算出したアドレス（サーチ先の箇所）から再生を開始する。
【００４９】
以下に、サーチ機能実行時の実施例を示す。サーチモードとしては、第１から第３モードを採用し、第１モードにおける１回の操作によって移動するサーチ先の箇所の移動量は、現在のタイトルの総時間の１０分の１とし、第２モードにおける１回の操作によって移動するサーチ先の箇所の移動量は、現在のタイトルの総時間の２０分の１とし、第３モードにおける１回の操作によって移動するサーチ先の箇所の移動量は、１秒とし、サーチ機能実行時のデフォルトのサーチモードは第１モードとする。
【００５０】
このような仕様において、あるタイトルを再生中にサーチキー２７が押下され、図３の画面３０が表示されたとする。この状態においては、映像３１の再生は継続され、バー３２及び経過時間３３はサーチキー２７が押下された時点の再生位置で停止している。画面３０の状態から右キー２８ｃが１回押下されると、図４の画面３１の状態となる。画面３１は、画面３０の状態からサーチ先の時間が１２分（２時間の１０分の１）進み、バー３２の先端位置３７及び経過時間３３が１：３２：１５を示している。
【００５１】
続けて上キー２８ａが１回押下されると、図５の画面３２ように、サーチモードの種類３４を第２モードに切り換える。続けて右キー２８ｃが１回押下されると、図６の画面３３のように、サーチ先の時間が６分（２時間の２０分の１）進み、バー３２の先端位置３７及び経過時間３３が１：３８：１５を示す。
【００５２】
続けて上キー２８ａが１回押下されると、図７の画面３４のように、サーチモードの種類３４を第３モードに切り換える。続けて左キー２８ｄが１５回押下されると、図８の画面３５のように、１５秒戻り、バー３２の先端位置３７及び経過時間３３が１：３８：００を示す。そして決定キー２９が押下されると、１：３８：００の時間からそのアドレスを算出し、サーチ機能に関するＯＳＤ表示を消去し、算出したアドレスから再生を開始する。
【００５３】
このように、ＨＤＤ一体型光ディスク装置１０によれば、リモコン１３のサーチキー２７とカーソルキー２８と決定キー２９を操作するだけで所望の箇所から再生することができる。したがって、数字キーのない簡易なリモコンでも簡単な操作でサーチ機能を実現できる。
【００５４】
なお、上記では再生中にサーチキー２７が押下されることによってサーチ機能を実行することとしたが、再生中以外でもリジューム停止中や一時停止中のように、特定のタイトルを選択している状態であれば、サーチキー２７の押下によりサーチ機能を実行するようにしてもよい。これによれば、サーチ機能は、タイトルの再生中、リジューム停止中又は一時停止中にのみ有効となる。
【００５５】
また、上記では上キー２８ａ又は下キー２８ｂが押下されることにより複数のサーチモードを順に切り換えることとしたが、上キー２８ａ又は下キー２８ｂに限定されることはなく、例えば、サーチキー２７が押下される度にサーチモードを順に切り換えるようにしてもよい。例えば、第１から第３モードを採用している場合は、サーチキー２７が押下される度に第１、第２、第３、第１・・・の順に切り換えるようにすればよい。これによれば、サーチ機能で操作されるキーから上キー２８ａ及び下キー２８ｂが除かれるので、操作が必要なキーの数が減る。その結果、ユーザがキーの位置を確認する回数が減るので操作性が向上する。
【００５６】
また、上記実施例の図７から図８へ移行するときの操作のように、サーチ先を移動させるために右キー２８ｃ又は左キー２８ｄを複数回連続して押下しなければならない場合があるので、操作性を向上させる観点から右キー２８ｃ又は左キー２８ｄを長押し（例えば１秒以上）している間は連続してサーチ先が移動するようにしてもよい。
【００５７】
また、複数のサーチモードの１回のキー操作による移動量は、ユーザが好みの値に設定できるようにしてもよい。設定方法としては、製造時にいくつかの値を予め登録しておき、その中から所望の値を選択できるようにしたり、ユーザが値そのものを数値で設定できるようにしたりすればよい。
【産業上の利用可能性】
【００５８】
本発明の情報再生装置は、ＤＶＤなどの光ディスクを再生する光ディスク装置やハードディスクレコーダなどのハードディスク装置、又はそれらの複合機をはじめ、記録媒体に記録された映像や音声の情報を再生する装置に利用することができる。
【図面の簡単な説明】
【００５９】
【図１】本発明のＨＤＤ一体型光ディスク装置の構成及びその周辺機器を示すブロック図である。
【図２】本発明のサーチ機能に関するＨＤＤ一体型光ディスク装置の動作を示すフローチャートである。
【図３】本発明のサーチ機能実行時の画面の一例である。
【図４】本発明のサーチ機能実行時の画面の一例である。
【図５】本発明のサーチ機能実行時の画面の一例である。
【図６】本発明のサーチ機能実行時の画面の一例である。
【図７】本発明のサーチ機能実行時の画面の一例である。
【図８】本発明のサーチ機能実行時の画面の一例である。
【符号の説明】
【００６０】
１０    ＨＤＤ一体型光ディスク装置（情報再生装置）
１３    リモコン
２７    サーチキー
２８    カーソルキー
２８ａ    上キー
２８ｂ    下キー
２８ｃ    右キー
２８ｄ    左キー
２９    決定キー
３２    バー
３３    現在のタイトルの開始位置からの経過時間
３４    サーチモードの種類
３５    現在のタイトルの開始箇所
３６    現在のタイトルの終了箇所
３７    バーの先端位置
３８    現在のタイトルの総時間
【図１】
2009104736.tif 000003
【図２】
2009104736.tif 000004
【図３】
2009104736.tif 000005
【図４】
2009104736.tif 000006
【図５】
2009104736.tif 000007
【図６】
2009104736.tif 000008
【図７】
2009104736.tif 000009
【図８】
2009104736.tif 000010